(57)【要約】【課　題】溶融スラグを高温の状態で運搬できる安価なコンテナであって、しかも断熱性に優れたコンテナを提供する。【解決手段】溶融スラグを収容して車両に積載する溶融スラグ運搬用コンテナであって、鋼板からなるコンテナ外殻容器の底面に砂利を敷設し、砂利の上に鋼板を載置し、コンテナ外殻容器の壁面内側に断熱材を内張りし、断熱材の表面を鋼板で覆う。【選択図】　　　　図１
2004131817.tif 000002
【特許請求の範囲】
【請求項１】
溶融スラグを収容して車両に積載する溶融スラグ運搬用コンテナであって、鋼板からなるコンテナ外殻容器の底面に砂利を敷設し、前記砂利の上に鋼板を載置し、前記コンテナ外殻容器の壁面内側に断熱材を内張りし、前記断熱材の表面を鋼板で覆うことを特徴とする溶融スラグ運搬用コンテナ。
【発明の詳細な説明】
【０００１】
【発明の属する技術分野】
本発明は、金属精錬設備から排出される溶融状態のスラグ（以下、溶融スラグという）を運搬するコンテナに関する。
【０００２】
【従来の技術】
金属精錬設備から排出される溶融スラグは、種々の用途に再利用されたり、あるいは産業廃棄物として処理される。いずれの場合も、金属精錬設備から排出された溶融スラグを、所定の処理場へ運搬しなければならない。ただし溶融スラグは高温であるから、溶融スラグを運搬するためにはコンテナの耐熱性を保つ必要があり、コンテナの製造コストの上昇を招く。しかもコンテナから発生する輻射熱によって、コンテナを運搬する車両の温度が上昇し、その耐用性が低下する。
【０００３】
そこで、溶融スラグを冷却して凝固させた後、コンテナに収容して運搬するのが一般的である。たとえば製鉄所の製鋼設備（すなわち転炉等）から排出された溶融スラグは、冷却するためにピットへ送給され、ピット内で凝固するまで静置される。次いで、ショベル等を用いてピットから取り出してノロ鍋に収容し、ノロ鍋運搬車両に積載する。このとき使用するノロ鍋運搬車両は、ノロ鍋を運搬するための専用車両として、積載荷重や耐熱性を考慮して設計されたものであり、製造コストは極めて高額である。
【０００４】
また特開平６−３０６４１６号公報には、転炉の炉下で凝固したスラグを運搬する車両が開示されている。この車両は、スラグ運搬時、グリズリーを積載して運搬中の振動によってスラグを篩分するように設計されており、汎用性は乏しく、他の用途に使用するのは困難である。つまり特開平６−３０６４１６号公報に開示された車両は高額であるから、この車両を使用すると運搬コストの上昇は避けられない。
【０００５】
溶融スラグは、ピット内で大気中に熱を放散することによって冷却される。したがって、冷却効率を高めるためにはピットの面積を拡大しなければならない。しかしながら製鉄所の立地条件に応じてピットの面積が制約されるので、必ずしも十分な冷却効率は得られない。しかも溶融スラグをピット内で冷却して凝固させる間に、粉末部分が周辺に飛散する問題もある。
【０００６】
このような溶融スラグの冷却過程で発生する問題を解決するためには、溶融スラグが凝固する前に運搬する必要がある。その場合は、溶融スラグは十分に冷却されておらず、高温のままで運搬することになる。したがって耐用性の高いコンテナや、耐熱性を付与した専用の車両を使用しなければならないので、運搬コストの上昇を招く。
【０００７】
【特許文献１】
特開平６−３０６４１６号公報
【０００８】
【発明が解決しようとする課題】
本発明は上記のような問題を解消し、溶融スラグを高温の状態で運搬できる安価なコンテナであって、しかも断熱性に優れたコンテナを提供することを目的とする。
【０００９】
【課題を解決するための手段】
本発明者らは、溶融スラグを凝固させず高温の状態で運搬できるコンテナと、そのコンテナを積載する車両について検討した。なお、溶融スラグの高温の状態とは、半凝固状態（いわゆる赤熱状態）あるいは溶融状態を指す。ここでは溶融状態のスラグのみならず半凝固状態のスラグも含めて溶融スラグと記す。このような状態の溶融スラグは高温であるので、それを運搬する車両の耐久性を向上するためにも、コンテナの断熱性を高める必要がある。
【００１０】
しかも溶融スラグの運搬効率を向上するためには、コンテナの内容積を拡大する必要がある。その場合は、コンテナに収容した溶融スラグの重量が増大するので、単にコンテナの内面に耐火材を内張りするだけでは、溶融スラグとの摩擦によって耐火材が著しく損耗する。特にコンテナ底面は、断熱性のみならず、溶融スラグの荷重を支える強度も要求される。
【００１１】
本発明者らは、このような知見に基づいて本発明を完成した。
すなわち本発明は、溶融スラグを収容して車両に積載する溶融スラグ運搬用コンテナであって、鋼板からなるコンテナ外殻容器の底面に砂利を敷設し、砂利の上に鋼板を載置し、コンテナ外殻容器の壁面内側に断熱材を内張りし、断熱材の表面を鋼板で覆う溶融スラグ運搬用コンテナである。
【００１２】
【発明の実施の形態】
図１は、本発明の溶融スラグ運搬用コンテナの例を模式的に示す斜視図である。また図２は図１中のＡ−Ａ矢視の断面図であり、図３は図１中のＢ−Ｂ矢視の断面図である。
本発明の溶融スラグ運搬用コンテナでは、鋼板からなるコンテナ外殻容器１の底面に砂利２を敷設し、さらに砂利２の上に鋼板４ａを載置する。つまり本発明の溶融スラグ運搬用コンテナに溶融スラグを収容する際には、この鋼板４ａ上に溶融スラグを積載する。
【００１３】
このようにして、コンテナ外殻容器１底面と鋼板４ａとの間に砂利２が充填される。砂利２は断熱性が高く、かつ強度も高いので、溶融スラグ運搬用コンテナの底面の断熱性および強度を確保するために使用する。しかも砂利２の粒子の間には空隙が存在して空気が流通するので、断熱効果は一層向上する。
仮に鋼板４ａを使用せず、コンテナ外殻容器１底面に砂利２を敷設するのみで、溶融スラグを収容すると、砂利２の粒子の間に溶融スラグが充満して空気の流通を阻害し、断熱効果が減少するばかりでなく、砂利２が溶融スラグに付着して溶融スラグ運搬用コンテナから排出されるという問題が発生する。したがって鋼板４ａは、必ず砂利２の上に載置する。
【００１４】
砂利２を敷設する厚さが５０ｍｍ未満では、耐熱性が不十分である。一方、　５００ｍｍ　を超えると、容積の低下，重量の増加を招く。したがって、砂利２は５０〜５００ｍｍ　を満足する範囲内で敷設し、好ましくは５０〜２００ｍｍ　とする。
鋼板４ａの厚さが１０ｍｍ未満では、耐熱性に乏しく、変形しやすい。一方、　２００ｍｍ　を超えると、重量の増加を招く。したがって、鋼板４ａの厚さは１０〜２００ｍｍ　の範囲内を満足すれば良く、好ましくは１５〜６０ｍｍである。
【００１５】
コンテナ外殻容器１を繰り返し使用することによって鋼板４ａが変形した場合には、鋼板４ａを取替えてコンテナ外殻容器１を継続して使用する。鋼板４ａは砂利２の上に載置してあるので、容易に取替えが可能である。なお鋼板４ａをコンテナ外殻容器１に固定しても良いが、その場合は、ボルト等を用いて容易に着脱できるようにするのが好ましい。
【００１６】
コンテナ外殻容器１の壁面内側には断熱材３を内張りし、さらに断熱材３の表面を鋼板４ｂで覆う。このようにして断熱材３と溶融スラグとの接触を防止し、溶融スラグとの摩擦による断熱材３の損耗を防止する。
仮にコンテナ外殻容器１壁面と鋼板４ｂとの間に砂利２を充填すると、砂利２がその重量で下降して、コンテナ外殻容器１壁面の断熱性を全面にわたって均一に維持することは困難である。しかも溶融スラグ運搬用コンテナの重量が増大するという問題が発生する。したがって、コンテナ外殻容器１壁面と鋼板４ｂとの間には断熱材３を充填する。
【００１７】
本発明では、断熱材３の材質は特定の種類に限定せず、セラミックス，ガラス繊維，ロックファイバー等の従来から知られている断熱材が使用できる。断熱材３の厚さが５０ｍｍ未満では、耐熱性が不十分である。一方、　５００ｍｍ　を超えると、容量が低下し、運搬効率が低下する。したがって、断熱材３の厚さは５０〜５００ｍｍ　の範囲内を満足するのが好ましい。
【００１８】
鋼板４ｂの厚さが１０ｍｍ未満では、耐熱性に乏しく、変形しやすい。一方、　２００ｍｍ　を超えると、重量の増加を招く。したがって、鋼板４ｂの厚さは１０〜２００ｍｍ　の範囲内を満足すれば良く、好ましくは１５〜６０ｍｍである。
コンテナ外殻容器１を繰り返し使用することによって鋼板４ｂが変形した場合には、鋼板４ｂを取替えてコンテナ外殻容器１を継続して使用する。したがって鋼板４ｂは、ボルト等を用いて容易に着脱できるようにコンテナ外殻容器１に固定するのが好ましい。
【００１９】
このようにして本発明の溶融スラグ運搬用コンテナは、安価な材料（すなわち鋼板からなるコンテナ外殻容器１，砂利２，断熱材３，鋼板４ａ，４ｂ）で構成されるので、その製造コストを削減することができる。しかも強度のみならず断熱性にも優れているので、溶融スラグ運搬用コンテナを運搬するにあたって専用の車両を使用する必要はない。つまり溶融スラグ運搬用コンテナから発生する輻射熱を抑制できるので、汎用の車両（たとえばダンプ，鉄道車両等）を使用して運搬が可能であり、車両の製造コストも削減できる。
【００２０】
本発明では、溶融スラグ運搬用コンテナを車両に積載する手段は、　特定の装置に限定しない。たとえば、コンテナ外殻容器１に吊り具を装着して、クレーンで吊り上げたり、あるいはコンテナ外殻容器１にスライダーを装着して、車両に引き上げる等、従来から知られている手段が使用できる。
【００２１】
【実施例】
図１に示す溶融スラグ運搬用コンテナに溶融スラグを収容して、コンテナ外殻容器１の壁面外側の温度を測定した。砂利２は厚さ１５０ｍｍ　で敷設し、断熱材３はロックファイバーを使用して厚さ１００ｍｍ　とした。これを発明例とする。
一方、比較例として、砂利２，断熱材３，鋼板４ａ，４ｂを使用せず、コンテナ外殻容器１のみを用いて溶融スラグを収容し、コンテナ外殻容器１の壁面外側の温度を測定した。
【００２２】
発明例と比較例について、時間の経過に伴う壁面外側の温度の推移を図４に示す。図４から明らかなように、比較例では溶融スラグを収容することによって壁面外側の温度が上昇し、１２００分経過するまで　１２０℃を超える温度で推移した。これに対して発明例では、１２００分経過するまで４０℃以下の温度で推移した。したがって、発明例では優れた断熱性が得られることが確かめられた。
【００２３】
コンテナ外殻容器１の壁面外側の温度が４０℃以下であれば、溶融スラグ運搬用コンテナを運搬するにあたって耐熱性を付与した専用車両を使用する必要はなく、汎用の車両を用いて支障なく運搬できる。
さらに発明例の溶融スラグ運搬用コンテナを連続して１４日間連続して使用し、溶融スラグを繰り返し運搬した。その期間中に鋼板４ａが変形したので、必要に応じて取替えた。なお、鋼板４ｂは継続して使用できた。またコンテナ外殻容器１には何ら変形は発生しなかった。
【００２４】
【発明の効果】
本発明によれば、安価な溶融スラグ運搬用コンテナを用いて溶融スラグを運搬できる。つまり溶融スラグを冷却して凝固させる必要がないので、ピット周辺の環境汚染を防止できる。しかも本発明の溶融スラグ運搬用コンテナは、断熱性に優れているので、安価な汎用の車両を用いて運搬できる。その結果、運搬コストの削減を達成できる。
【図面の簡単な説明】
【図１】本発明の溶融スラグ運搬用コンテナの例を模式的に示す斜視図である。
【図２】図１中のＡ−Ａ矢視の断面図である。
【図３】図１中のＢ−Ｂ矢視の断面図である。
【図４】コンテナ外殻容器の温度の推移を示すグラフである。
【符号の説明】
１　コンテナ外殻容器
２　砂利
３　断熱材
４ａ　鋼板
４ｂ　鋼板
【図１】
2004131817.tif 000003
【図２】
2004131817.tif 000004
【図３】
2004131817.tif 000005
【図４】
2004131817.tif 000006